(57)【要約】      （修正有）【課題】大量の成長茎を載せることができ畝面に吊下する虞がなく、さらに、製造コストも低減して農家への経済的負担を低減できるトマト茎の支持具構造を提供する。【解決手段】一本の可撓性を有する鋼線を折曲して形成した略Ｈ型フレーム１００と、略Ｈ型フレーム１００の中途の横架フレーム２０に垂直に連結し略Ｈ型フレーム１００と共に畝に突き刺し立設するように構成した補強支柱４０と、畝を跨持した状態で畝に沿って一定間隔で圃場に突き刺し立設した多数の略Ｈ型フレーム１００を畝上方においてそれぞれ連結する連結紐体５０と、より構成することで安価で大量のトマト茎を載置支持できるトマト茎の支持具構造。【選択図】図１
2020014388.tif 000002
【特許請求の範囲】
【請求項１】
一本の可撓性を有する鋼線を折曲して形成した略Ｈ型フレームと、
略Ｈ型フレームの中途の横架フレームに垂直に連結し略Ｈ型フレームと共に畝に突き刺し立設するように構成した補強支柱と、
畝を跨持した状態で畝に沿って一定間隔で圃場に突き刺し立設した多数の略Ｈ型フレームを畝上方においてそれぞれ連結する連結紐体と、
より構成したことを特徴とするトマト茎の支持具構造。
【請求項２】
一本の可撓性を有する鋼線を折曲して形成した略Ｈ型フレームは、
下端から立上げた一側支柱フレームと、
その上端折曲部分を前方に折曲した前方折曲部と、
そこから一定距離垂下して９０度に折曲して形成した横架フレームと、
横架フレーム終端で一定距離上方に立ちあげて折曲した後方折曲部と、
そこから垂下した他側支柱フレームと、
より構成したことを特徴とする請求項１に記載のトマト茎の支持具構造。
【発明の詳細な説明】
【技術分野】
【０００１】
本発明は、ビニールハウス中でのトマト栽培時にトマト茎が圃場地面に垂れ下り接触しないようにしたトマト茎の支持具構造に関する。
【背景技術】
【０００２】
従来、ビニールハウス中でのトマト栽培時には、成長する茎が下方に垂れ下がり圃場の地面に接触することが多い。これを放置すると茎が腐食して水分や養分が実に吸い上げられないため健全なトマト栽培が行われない。
かかる状況を解消するためにビニールハウス内にワイヤーを張設してこれに成長した茎を縛り付けるための茎支持棒を多数吊下し、しかも、茎支持棒はワイヤーに沿ってスライドできるようにしてトマト栽培の株ごとに成長茎の中途部を持ち上げて紐体などでこの茎支持棒に縛りつけて成長茎が畝地面に垂れさがるのを防止している。
【０００３】
特許文献１には、ビニールハウス内でのトマト茎支持具として、ビニールハウス内の張設ワイヤーにＵ字形状の大きめの茎載せ用フックを吊下げしてこのフックに成長茎を束ねるようにして載置して茎が下方に垂れ下がらないようにした構成について開示している。
【先行技術文献】
【特許文献】
【０００４】
【特許文献１】特開２００２−３４５３４５号公報
【発明の概要】
【発明が解決しようとする課題】
【０００５】
しかし、いずれの支持具も充分な成長茎の地上位置確保が充分に行い難く、例えば、ワイヤーに吊下した茎支持棒に成長茎を係止するものは成長の度にビニールハウス内で茎の係止作業を行わなければならず作業効率が悪く、これを怠ると更なる成長茎が畝等の地上面に垂れ下がってしまう欠点を有する。
また、茎載せ用フックはフックの形状に限度があるために大量の成長茎を載せることができずこぼれた茎は畝面に吊下するおそれがあると共に、特殊な形状の茎載せ用フックを多数使用しなければならず製造コストも高く、これを使用する農家に多大な経済的負担を掛けることになるという欠点があった。
【０００６】
この発明は、上記課題に鑑みてなされた発明であり、大量の成長茎を載せることができ畝面に吊下する虞がなく、さらに、製造コストも低減して農家への経済的負担を低減できるトマト茎の支持具構造を提供せんとするものである。
【課題を解決するための手段】
【０００７】
この発明は、一本の可撓性を有する鋼線を折曲して形成した略Ｈ型フレームと、略Ｈ型フレームの中途の横架フレームに垂直に連結し略Ｈ型フレームと共に畝に突き刺し立設するように構成した補強支柱と、畝を跨持した状態で畝に沿って一定間隔で圃場に突き刺し立設した多数の略Ｈ型フレームを畝上方においてそれぞれ連結する連結紐体と、より構成したことを特徴とするトマト茎の支持具構造に関する。
【０００８】
また、一本の可撓性を有する鋼線を折曲して形成した略Ｈ型フレームは、下端から立上げた一側支柱フレームと、その上端折曲部分を前方に折曲した前方折曲部と、そこから一定距離垂下して９０度に折曲して形成した横架フレームと、横架フレーム終端で一定距離上方に立ちあげて折曲した後方折曲部と、そこから垂下した他側支柱フレームとより構成したことを特徴とする。
【発明の効果】
【０００９】
請求項１の発明によれば、一本の可撓性を有する鋼線を折曲して形成した略Ｈ型フレームと、略Ｈ型フレームの中途の横架フレームに垂直に連結し略Ｈ型フレームと共に畝に突き刺し立設するように構成した補強支柱と、畝を跨持した状態で畝に沿って一定間隔で圃場に突き刺し立設した多数の略Ｈ型フレームを畝上方においてそれぞれ連結する連結紐体と、より構成したことにより、略Ｈ型フレームを予めトマト栽培の畝を跨ぐ状態で畝に沿って一定間隔で多数突き刺し立設した場合に成長するトマト茎を予め略Ｈ型フレームの横架フレームに載置しておけば茎の全長を成長に合わせて降下させたとしても弛んだ茎は横架フレーム上に載置されてこれ以上に垂れ下がることはなく、しかも、横架フレームは少なくとも畝の幅員を有し、横架フレームから支柱フレーム上端までの高さにおいてトマト茎を受け止め支持するものであるためにトマト茎の量が多くても充分に載置支持することができ成長する茎の垂れ下がりを完全に防止することができ、しかも、一本の鋼線を折曲するだけで略Ｈ型フレームを構成するため安価に製造することができると共に、ビニールハウス内での設置の作業も圃場に突き刺し立設するだけであるため簡便であり、更には、一本の鋼線は可撓性を有するためにトマト茎の重量負荷を受けても左右側支柱フレームに極度の負荷を掛けずに略Ｈ型フレームの前後倒伏を可及的に防止してより茎の垂れ下がり防止機能を果たすことができる効果がある。
しかも、略Ｈ型フレームと共に畝に突き刺し立設するように構成した補強支柱と、畝を跨持した状態で畝に沿って一定間隔で圃場に突き刺し立設した多数の略Ｈ型フレームを畝上方においてそれぞれ連結する連結紐体とにより、略Ｈ型フレームの前後の倒伏が完全に防止され、特に補強支柱によって圃場に突き刺した略Ｈ型フレームの突き刺し立設強度を補強することができより略Ｈ型フレームの倒伏防止に役に立つ効果がある。
【００１０】
請求項２の発明によれば、一本の可撓性を有する鋼線を折曲して形成した略Ｈ型フレームは、下端から立上げた一側支柱フレームと、その上端折曲部分を前方に折曲した前方折曲部と、そこから一定距離垂下して９０度に折曲して形成した横架フレームと、横架フレーム終端で一定距離上方に立ちあげて折曲した後方折曲部と、そこから垂下した他側支柱フレームとより構成したことにより、左右の支柱フレーム上端で折曲する前方折曲部と後方折曲部とが折曲方向を前後に反対方向に形成しているために横架フレームにかかる茎の重量負荷が略Ｈ型フレームの前後に均等にかかることになり略Ｈ型フレームの前後倒伏を可及的に防止することができる効果がある。
【図面の簡単な説明】
【００１１】
【図１】本発明の実施形態にかかる略Ｈ型フレームを示す斜視図である。
【図２】本発明の実施形態にかかる略Ｈ型フレームの使用例を示す正面図である。
【図３】本発明の実施形態にかかる略Ｈ型フレームの使用例を示す斜視図である。
【発明を実施するための形態】
【００１２】
この発明の要旨は、一本の可撓性を有する鋼線を折曲して形成した略Ｈ型フレームと、略Ｈ型フレームの中途の横架フレームに垂直に連結し略Ｈ型フレームと共に畝に突き刺し立設するように構成した補強支柱と、畝を跨持した状態で畝に沿って一定間隔で圃場に突き刺し立設した多数の略Ｈ型フレームを畝上方においてそれぞれ連結する連結紐体と、より構成したこと、及び、一本の可撓性を有する鋼線を折曲して形成した略Ｈ型フレームは、下端から立上げた一側支柱フレームと、その上端折曲部分を前方に折曲した前方折曲部と、そこから一定距離垂下して９０度に折曲して形成した横架フレームと、横架フレーム終端で一定距離上方に立ちあげて折曲した後方折曲部と、そこから垂下した他側支柱フレームとより構成したことにある。
【００１３】
以下本発明の実施例を図面に基づき詳細に説明する。図１は、本発明に用いる略Ｈ型フレーム１００を示している。
【００１４】
略Ｈ型フレーム１００は、一本の可撓性を有する鋼線、例えば直径３〜５ミリメートルの鋼線を折曲して形成して構成しており、図１に示すように、下端から立上げた一側支柱フレーム１０と、その上端折曲部分を前方に折曲した前方折曲部１１と、そこから一定距離垂下して９０度に折曲して形成した横架フレーム２０と、横架フレーム２０の終端で一定距離上方に立ちあげて折曲した後方折曲部３１と、そこから垂下した他側支柱フレーム３０とで構成している。
【００１５】
しかも、図１に示すように、略Ｈ型フレーム１００の中途の横架フレーム２０の略中央には略Ｈ型フレーム１００と共に畝Ｒに突き刺し立設するように構成した補強支柱４０が連結バンド４１を利用して垂直に連結されている。そして、略Ｈ型フレーム１００はトマトの株を栽培用の畝Ｒを跨持した状態で畝Ｒに沿って一定間隔、例えば約８０〜１００センチメートルごとに畝Ｒの短手方向の両端部近傍に突き刺し立設している。しかも、畝Ｒ上方において補強支柱４０の上端部近傍には補強支柱４０をそれぞれ連結する連結紐体５０を懸架連結し、略Ｈ型フレーム１００が前後方向に倒伏しないように構成している。なお、図３に示すように、連結紐体５０は畝Ｒの前後に立設した支柱６０，６０に連結して補強支柱４０及び横架フレーム２０の倒伏を規制している。
【００１６】
略Ｈ型フレーム１００は地中に突き刺す埋設代を約２０ｃｍ、地表面から横架フレーム２０までを約５５ｃｍ、横架フレーム２０から一側支柱フレーム１０及び他側支柱フレーム３０の支柱上端までを約１５ｃｍとしており、略Ｈ型フレーム１００の全長は約９０ｃｍとしている。
【００１７】
従って、成長茎は畝Ｒ表面から約３０ｃｍの位置で横架フレーム２０に支持されてこれ以上は垂れさがらない状態で保持されるように構成している。
【００１８】
かかる略Ｈ型フレーム１００をトマト栽培のビニールハウスにおいてトマト茎の支持具構造Ｓとして実施するためには、次のような作業工程を経る。
【００１９】
すなわち、まず、図２に示すように、トマトの株栽培の畝Ｒの両側端部近傍に畝Ｒに沿って一定の間隔で左右の一側支柱フレーム１０と他側支柱フレーム３０の下端を突き刺し略Ｈ型フレーム１００を畝Ｒ上方に門型状に立設する。この際に、図２に示すように、同時に補強支柱４０を各略Ｈ型フレーム１００の横架フレーム２０に接するように下端を畝Ｒに突き刺して立設し、その後、補強支柱４０が各略Ｈ型フレーム１００の横架フレーム２０と接する部分を紐やコード等の連結バンド４１で緊締して一体連結する。かかる状態では略Ｈ型フレーム１００の一側の上端折曲部分は前方に折曲した前方折曲部１１となっており、略Ｈ型フレーム１００の他側の上端折曲部分は後方に折曲した後方折曲部３１となっている。このために略Ｈ型フレーム１００の中央部の横架フレーム２０にトマト成長茎が多数本載置されて重量負荷がかかっても略Ｈ型フレーム１００の負荷を横架フレーム２０の前後に可及的対等に逃がすことができ略Ｈ型フレーム１００の前後方向への倒伏を規制することができる。
【００２０】
その後、図３に示すように、前後に多数立設された略Ｈ型フレーム１００の横架フレーム２０に連結バンド４１を介して固定した補強支柱４０同士を畝Ｒの長手方向に沿って畝Ｒ上方にてそれぞれを連結紐体５０で緊締連結する。従って、何らかの理由により略Ｈ型フレーム１００を構成する多数の横架フレーム２０の内の一つに前後方向への倒伏負荷がかかったとしても連結紐体５０によって互いに前後引張り応力を補完して倒伏を可及的に防止する。
【００２１】
図中Ｄは、ビニールハウス内でのトマト栽培においてハウス内の温度を維持するための温風ダクトＤであり、畝Ｒの略中央に配置することで断面円形の温風ダクトＤから上方に向けて温風を排出することで成長するトマト茎周辺の温度を一定に保ち効率的にトマトを生長させることができる。また、畝Ｒの両側端部に左右の一側支柱フレーム１０と他側支柱フレーム３０を立設することで温風ダクトＤが各畝Ｒ間に設けた畔Ｂに落下する虞がなくトマトの収穫作業をする際の障害とはならない。
【００２２】
また、図中Ｓ１，Ｓ２は、それぞれ栽培トマトの茎Ｓ１，Ｓ２を示し、図３に示すようにトマトの成長茎Ｓ１の成長に伴い、トマトの成長茎Ｓ１が下方に弛緩する部分を略Ｈ型フレーム１００の横架フレーム２０上に棚上げすることで弛緩茎Ｓ２が畝Ｒや畔Ｂの表面上に倒伏接触しないようにしている。
なお、図２では栽培するトマトの苗を温風ダクトＤを挟んだ対向位置に１株ずつの計２株を植設しており、図３では補強支柱４０の近傍に１株を植設した状態を示している。しかし、畝Ｒに植設した苗が１株でも２株、又は複数株であっても本発明の略Ｈ型フレーム１００は同様に生長過程で下方に弛緩しようとするトマトの弛緩茎Ｓ２を支持するように作用する。
【００２３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００２４】
Ｂ  畔
Ｄ  温風ダクト
Ｒ  畝
Ｓ  トマト茎の支持具構造
Ｓ１成長茎
Ｓ２弛緩茎
１００  略Ｈ型フレーム
１０  一側支柱フレーム
１１  前方折曲部
２０  横架フレーム
３０  他側支柱フレーム
３１  後方折曲部
４０  補強支柱
４１  連結バンド
５０  連結紐体
６０  支柱
【図１】
2020014388.tif 000003
【図２】
2020014388.tif 000004
【図３】
2020014388.tif 000005